(57)【特許請求の範囲】
【請求項１】
送信信号を受け入れて送信電磁波に変換して空中に放射し、前記空中から受信電磁波を受け入れて受信信号に変換して出力する空中線と、
送信信号の一部を分岐して出力すると共に、受信信号の一部を分岐して出力する分岐結合器と、
前記分岐結合器の出力を受け入れて前記送信信号の一部又は前記受信信号の一部のどちらか一方を交互に選択して出力する信号切替部と、
前記送信信号の電圧レベルをパラメータにした前記受信信号の電圧レベルの閾値を格納するデータ格納部に、前記信号切替部から出力された前記送信信号を書き込む書込手段と、
前記信号切替部から出力された前記受信信号の電圧レベルを、前記書込手段により前記データ格納部に書き込まれた前記送信信号に対応し、前記データ格納部に格納されている前記閾値と比較して、前記受信信号の電圧レベルが前記送信信号に対応する閾値を越えたとき前記空中線の異常検出信号を出力するデータ処理部を備えることを特徴とする空中線異常検出装置。
【発明の詳細な説明】
【０００１】
【発明の属する技術分野】
本発明は、無線送受信装置における空中線異常検出装置に関する。
【０００２】
【従来の技術】
従来の空中線異常検出装置では、送信信号及び受信信号毎にそれぞれの信号の一部が、別個の分岐結合器によって分岐される。これらの別個に分岐された出力信号の信号レベルが相互に比較される。この比較結果に基づいて空中線異常が検出されていた。
【０００３】
【発明が解決しようとする課題】
ところで、上記のような従来の技術には、次のような解決すべき課題があった。
送信信号及び受信信号毎にそれぞれの信号の一部が別個の分岐結合器によって分岐されていたため、分岐結合器、検波器、Ａ／Ｄ変換器等は、それぞれ２個ずつ必要とされた。更に、空中線異常の検出に当たっては、２個の分岐結合器の出力信号を相互に比較して検出されていたため、その検出結果には正確性に欠ける面もあった。
【０００４】
【課題を解決するための手段】
本発明は以上の点を解決するため次の構成を採用する。
〈構成１〉
送信信号を受け入れて送信電磁波に変換して空中に放射し、前記空中から受信電磁波を受け入れて受信信号に変換して出力する空中線と、送信信号の一部を分岐して出力すると共に、受信信号の一部を分岐して出力する分岐結合器と、前記分岐結合器の出力を受け入れて前記送信信号の一部又は前記受信信号の一部のどちらか一方を交互に選択して出力する信号切替部と、前記送信信号の電圧レベルをパラメータにした前記受信信号の電圧レベルの閾値を格納するデータ格納部に、前記信号切替部から出力された前記送信信号を書き込む書込手段と、前記信号切替部から出力された前記受信信号の電圧レベルを、前記書込手段により前記データ格納部に書き込まれた前記送信信号に対応し、前記データ格納部に格納されている前記閾値と比較して、前記受信信号の電圧レベルが前記送信信号に対応する閾値を越えたとき前記空中線の異常検出信号を出力するデータ処理部を備えることを特徴とする空中線異常検出装置。
【０００７】
【発明の実施の形態】
以下、本発明の実施の形態を具体例を用いて説明する。
〈具体例１の構成〉
従来、送信信号と受信信号を別々に２系統で処理していた信号処理系統を１系統にまとめ、信号切替器によって送信信号と受信信号を切り替えて処理することとする。
かかる機能を達成するために、具体例１は以下のように構成される。
図１は、具体例１の構成のブロック図である。
図１より、具体例１の空中線異常検出装置は、電力増幅器１と、サーキュレータ２と、空中線３と、低雑音増幅器４と、分岐結合器（分岐結合部）５と、信号切替器（信号切替部）６と、検波器７と、Ａ／Ｄ変換器８と、データ処理部９と、データ格納部１０とを備える。
【０００８】
電力増幅器１は、図示していない他の装置から送信信号Ｓｓを受け入れて増幅し、後に説明するサーキュレータ２へ送出する部分である。
サーキュレータ２は、３個の入出力端子Ｔ１、Ｔ２、Ｔ３を有し、いずれかの端子に入力された信号は、一定の回転方向（右回転又は、左回転）に回転し、低損失で次の端子から出力される特性を有している、送信受信信号分離素子である。
ここでは、送信信号Ｓｓを受け入れて後に説明する空中線３へ送出し、空中線３から受信信号Ｓｒを受け入れて後に説明する低雑音増幅器４へ送出する部分である。
尚、空中線３が異常の場合は、送信信号Ｓｓの一部は、この空中線３で反射され低雑音増幅器４へ送出される。
【０００９】
空中線３は、送信信号Ｓｓを受け入れて送信電磁波に変換して空中に放射し、空中から受信電磁波を受け入れて受信信号Ｓｒに変換して出力するアンテナである。
低雑音増幅器４は、空中線３から受信信号Ｓｒを受け入れて増幅し図示していない他の装置へ送出する部分である。
【００１０】
分岐結合器（分岐結合部）５は、送信信号Ｓｓの一部、及び受信信号Ｓｒの一部を分岐して出力する部分であり、一例として導波路を用いたカプラ等が用いられる。
信号切替部６は、上記分岐結合器５の出力を受け入れて上記送信信号Ｓｓの一部又は上記受信信号Ｓｒの一部のどちらか一方を交互に選択して出力する切替スイッチである。
【００１１】
検波器７は、上記信号切替器６の出力を受け入れて直流電圧に変換して出力する部分である。
Ａ／Ｄ変換器８は、上記検波器７の出力を受け入れてアナログ・ディジタル変換（以後Ａ／Ｄ変換と記す）してディジタルデータとして出力する部分である。
【００１２】
データ処理部９は、上記信号切替部６の出力を受け入れて閾値と比較して上記送信信号Ｓｓの電圧レベルに対応する上記受信信号Ｓｒの電圧レベルが上記閾値を越えたとき異常検出信号Ｓｅを出力する部分である。更に、上記信号切替部６の切替を制御する書き込み完了信号Ｓｃを切替部６に向けて送出する部分でもある。データ格納部１０は、上記送信信号Ｓｓの電圧レベルをパラメータにした上記受信信号Ｓｒの電圧レベルの閾値を格納するメモリである。
【００１３】
〈具体例１の動作〉
図１を用いて具体例１の動作について説明する。
最初に空中線３に異常がない場合について説明し、その後空中線３に異常が発生した場合の動作について説明する。
【００１４】
１．空中線３に異常のない場合の動作の説明
図示していない他の装置から電力増幅器１に送信信号Ｓｓが送られてくる。送信信号Ｓｓは、電力増幅器１で所定の電圧レベルまで増幅されてサーキュレータ２の端子Ｔ１に向けて送出される。
【００１５】
サーキュレータ２は、送信信号Ｓｓを端子Ｔ１から受け入れて端子Ｔ２から空中線３に向けて送出する。この送信信号Ｓｓは、空中線３で送信電磁波に変換されて空中へ放射される。
このとき空中線３は、同時に空中から受信電磁波を受け入れる。この受信電磁波は、空中線３で電気信号変換されて受信信号Ｓｒとしてサーキュレータ２の端子Ｔ２に向けて送出される。
【００１６】
サーキュレータ２は、サーキュレータ２の端子Ｔ２から受信信号Ｓｒを受け入れて端子Ｔ３から低雑音増幅器４に向けて送出する。
低雑音増幅器４は、この受信信号Ｓｒを受け入れて図示していない他の装置に向けて出力する。
【００１７】
以上説明した送信信号Ｓｓと受信信号Ｓｒの流れの中で、送信信号Ｓｓの一部が電力増幅器１の出力から分岐結合器５によって分岐される。同時に、受信信号Ｓｒの一部がサーキュレータ２の端子Ｔ３から出力された後分岐結合器５によって分岐される。
分岐結合器５によって分岐された送信信号Ｓｓの一部と受信信号Ｓｒの一部は、所定の順番に従っていずれか一方が信号切替器６によって選択される。
【００１８】
ここでは、一例として最初に送信信号Ｓｓの一部が選択されて検波器７に向けて送出される。
検波器７は、この送信信号Ｓｓの一部を受け入れて直流電圧に検波してＡ／Ｄ変換器８に向けて送出する。
Ａ／Ｄ変換器８は、この直流電圧に検波された送信信号Ｓｓａを受け入れてＡ／Ｄ変換した送信信号Ｓｓｄをデータ処理部９に向けて送出する。
【００１９】
データ処理部９は、この送信信号Ｓｓｄを受け入れて一旦データ格納部１０の所定の番地に書き込む。書き込んだ後、書き込み完了信号Ｓｃを信号切替部６に向けて送出する。
信号切替部６は、この書き込み完了信号Ｓｃを受け入れた時信号の選択を送信信号Ｓｓの一部から受信信号Ｓｒの一部に切り替える。受信信号Ｓｒの一部が選択されて検波器７に向けて送出される。
【００２０】
検波器７は、この受信信号Ｓｒの一部を受け入れて直流電圧に検波してＡ／Ｄ変換器８に向けて送出する。
Ａ／Ｄ変換器８は、この直流電圧に検波された受信信号Ｓｒａを受け入れてＡ／Ｄ変換した受信信号Ｓｒｄをデータ処理部９に向けて送出する。
【００２１】
データ処理部９は、この受信信号Ｓｒｄを受け入れて一旦データ格納部１０の所定の番地に書き込む。書き込んだ後、上記送信信号Ｓｓｄに対応して予め格納されている閾値と、この受信信号Ｓｒｄを比較して、この受信信号Ｓｒｄが上記予め格納されている閾値より小さい場合は空中線異常が発生していないと判断する。ここでは空中線異常が発生していないことを前提にして動作を説明しているので、データ処理部９は、異常検出信号Ｓｅを送出しない。
次に、空中線３に空中線異常が発生している場合について説明する。
【００２２】
２．空中線３に異常が発生している場合の動作の説明
図示していない他の装置から電力増幅器１に送信信号Ｓｓが送られてくる。送信信号Ｓｓは、電力増幅器１で所定の電圧レベルまで増幅されてサーキュレータ２の端子Ｔ１に向けて送出される。
【００２３】
サーキュレータ２は、送信信号Ｓｓを端子Ｔ１から受け入れて端子Ｔ２から空中線３に向けて送出する。ここでは空中線異常が発生していることを前提にしているので、この送信信号Ｓｓの一部は、空中線３で反射されて端子Ｔ２に戻ってくる。この戻ってきた送信信号Ｓｓの一部は、端子Ｔ３から低雑音増幅器４に向けて送出される。同時に送信信号Ｓｓの残りの部分は送信電磁波に変換されて空中へ放射される。
このとき空中線３は、同時に空中から受信電磁波を受け入れる。この受信電磁波は、空中線３で電気信号に変換されて受信信号Ｓｒとしてサーキュレータ２の端子Ｔ２に向けて送出される。
【００２４】
サーキュレータ２は、サーキュレータ２の端子Ｔ２から受信信号Ｓｒを受け入れる。この受信信号Ｓｒと上記反射して戻ってきた送信信号Ｓｓの一部が混合された受信信号Ｓｒｓは端子Ｔ３から低雑音増幅器４に向けて送出される。
低雑音増幅器４は、この混合された受信信号Ｓｒｓを受け入れて、図示していない他の装置に向けて出力する。
ここで留意すべき点は、反射して戻ってきた送信信号Ｓｓの一部は、電磁波に変換される前の状態なので受信電磁波から変換された受信信号Ｓｒに比較して圧倒的に大きなレベルになる、ということである。
【００２５】
以上説明した送信信号Ｓｓと受信信号Ｓｒの流れの中で、送信信号Ｓｓの一部が電力増幅器１の出力から分岐結合器５によって分岐される。同時に混合された受信信号Ｓｒｓの一部がサーキュレータ２の端子Ｔ３から出力された後分岐結合器５によって分岐される。
分岐結合器５によって分岐された送信信号Ｓｓの一部と混合された受信信号Ｓｒｓの一部は所定の順番に従っていずれか一方が信号切替器６によって選択される。
【００２６】
ここでは、一例として最初に送信信号Ｓｓの一部が選択されて検波器７に向けて送出される。
検波器７は、この送信信号Ｓｓの一部を受け入れて直流電圧に検波してＡ／Ｄ変換器８に向けて送出する。
Ａ／Ｄ変換器８は、この直流電圧に検波された送信信号Ｓｓａを受け入れてＡ／Ｄ変換した送信信号Ｓｓｄをデータ処理部９に向けて送出する。
【００２７】
データ処理部９は、この送信信号Ｓｓｄを受け入れて一旦データ格納部１０の所定の番地に書き込む。書き込んだ後、書き込み完了信号Ｓｃを信号切替部６に向けて送出する。
信号切替部６は、この書き込み完了信号Ｓｃを受け入れた時、信号の選択を送信信号Ｓｓの一部から混合された受信信号Ｓｒｓの一部に切り替えて混合された受信信号Ｓｒｓの一部が選択されて検波器７に向けて送出される。
【００２８】
検波器７は、この混合された受信信号Ｓｒｓの一部を受け入れて直流電圧に検波してＡ／Ｄ変換器８に向けて送出する。
Ａ／Ｄ変換器８は、この直流電圧に検波され、混合された受信信号Ｓｒｓａを受け入れてＡ／Ｄ変換した混合された受信信号Ｓｒｓｄをデータ処理部９に向けて送出する。
【００２９】
データ処理部９は、この混合された受信信号Ｓｒｓｄを受け入れて一旦データ格納部１０の所定の番地に書き込む。書き込んだ後、上記送信信号Ｓｓｄに対応して予め格納されている閾値と、この混合された受信信号Ｓｒｓｄを比較して、この混合された受信信号Ｓｒｓｄが上記予め格納されている閾値より大きい場合には空中線異常が発生していると判断する。ここでは空中線異常が発生していることを前提にして動作を説明しているので、データ処理部９は、異常検出信号Ｓｅを送出する。
【００３０】
以上の説明では、信号切替器６の切替をデータ処理部９が送出する書き込み完了信号Ｓｃが行っているが、これは一例であって本発明がこの例に限定されるものではない。
即ち、図示していない他の装置、例えば装置全体を制御する制御部が上記書き込み完了信号Ｓｃに変わる制御信号を信号切替器６に向けて送出しても良い。
又、信号切替器６と分岐結合器５を別個の構成として説明したが、双方の機能を一体化した構成部分を採用してもよい。例えば導波路基板上に両機能を集積化すること等によって実現される。更には検波器７の内部に、例えば遅延回路を備える等して検波器７が、上記送信信号Ｓｓ又は、受信信号Ｓｒを受け入れて検波処理した後所定の時間経過後に信号切替器６を切り替える制御信号を検波器が出力するようにしても良い。
【００３１】
〈具体例１の効果〉
以上説明したように、信号切替器６を備えることによって、従来各々２個ずつ必要とされていた分岐結合器５、検波器７、Ａ／Ｄ変換器８を各１個備えるのみで空中線異常を検出することができるようになる。
更にデータ格納部１０を備え、送信信号Ｓｓの電圧レベルをパラメータにした受信信号Ｓｒの電圧レベルの閾値を格納することによって、より一層正確に空中線異常を検出することが可能になる。
【００３２】
〈具体例２の構成〉
空中線異常が発生すると、アンテナ端子（空中線）で反射する送信信号によってアンテナ端子（空中線）の温度が装置内他の部分に比較して上昇する。この基本原理に基づいて空中線異常を検出するために、具体例２は以下のように構成される。
図２は、具体例２の構成のブロック図である。
図２より、具体例２の空中線異常検出装置は、電力増幅器１と、サーキュレータ２と、空中線３と、低雑音増幅器４と、温度センサ（第一の温度検出部）２１と、温度センサ（第二の温度検出部）２２と、異常検出部２３を備える。
【００３３】
具体例１との差異のみについて説明する。
温度センサ（第一の温度検出部）２１は、空中線３の温度を検出する部分である。
温度センサ（第二の温度検出部）２２は、空中線３以外の部分の装置内温度を検出する部分である。
異常検出部２３は、上記第一の温度検出部の検出結果と上記第二の温度検出部の検出結果をそれぞれ受け入れて、第一の温度検出部の検出結果と第二の温度検出部の検出結果との間に所定量以上の差異を検出したとき異常検出信号を出力する部分である。
その他の部分は、具体例１と全く同様なので説明を割愛する。
【００３４】
〈具体例２の動作〉
図２を用いて具体例２の動作について説明する。
最初に空中線３に異常がない場合について説明し、その後空中線３に異常が発生した場合の動作について説明する。
【００３５】
１．空中線３に異常のない場合の動作の説明
図示していない他の装置から電力増幅器１に送信信号Ｓｓが送られてくる。送信信号Ｓｓは、電力増幅器１で所定の電圧レベルまで増幅されてサーキュレータ２の端子Ｔ１に向けて送出される。
【００３６】
サーキュレータ２は、送信信号Ｓｓを端子Ｔ１から受け入れて端子Ｔ２から空中線３に向けて送出する。この送信信号Ｓｓは、空中線３で送信電磁波に変換されて空中へ放射される。
このとき空中線３は、同時に空中から受信電磁波を受け入れる。この受信電磁波は、空中線３で電気信号に変換されて受信信号Ｓｒとしてサーキュレータ２の端子Ｔ２に向けて送出される。
【００３７】
サーキュレータ２は、サーキュレータ２の端子Ｔ２から受信信号Ｓｒを受け入れて端子Ｔ３から低雑音増幅器４に向けて送出する。
低雑音増幅器４は、この受信信号Ｓｒを受け入れて図示していない他の装置に向けて出力する。
【００３８】
以上説明した送信信号Ｓｓと受信信号Ｓｒの流れの中で、温度センサ（第一の温度検出部）２１は空中線３の温度を検出している。同様に温度センサ（第二の温度検出部）２２は、空中線３を除く装置内温度を検出している。異常検出部２３は、温度センサ（第一の温度検出部）２１と温度センサ（第二の温度検出部）２２の検出結果を監視し続ける。両者の温度差が所定の温度差を越えたときに異常検出信号Ｓｅを出力するが、ここでは、前提条件より両者の温度差が所定の温度差を越えることはないので異常検出信号Ｓｅを出力することはない。
【００３９】
２．空中線３に異常が発生している場合の動作の説明
図示していない他の装置から電力増幅器１に送信信号Ｓｓが送られてくる。送信信号Ｓｓは、電力増幅器１で所定の電圧レベルまで増幅されてサーキュレータ２の端子Ｔ１に向けて送出される。
【００４０】
サーキュレータ２は、送信信号Ｓｓを端子Ｔ１から受け入れて端子Ｔ２から空中線３に向けて送出する。ここでは空中線異常が発生していることを前提にしているので、この送信信号Ｓｓの一部は、空中線３で反射されて端子Ｔ２に戻ってくる。この戻ってきた送信信号Ｓｓの一部は、端子Ｔ３から低雑音増幅器４に向けて送出される。同時に送信信号Ｓｓの残りの部分は送信電磁波に変換されて空中へ放射される。
このとき空中線３は、同時に空中から受信電磁波を受け入れる。この電磁波は、空中線３で電気信号変換されて受信信号Ｓｒとしてサーキュレータ２の端子Ｔ２に向けて送出される。
【００４１】
サーキュレータ２は、サーキュレータ２の端子Ｔ２から受信信号Ｓｒを受け入れる。この受信信号Ｓｒと上記反射して戻ってきた送信信号Ｓｓの一部が混合された受信信号Ｓｒｓは端子Ｔ３から低雑音増幅器４に向けて送出される。
低雑音増幅器４は、この混合された受信信号Ｓｒｓを受け入れて図示していない他の装置に向けて出力する。
【００４２】
以上説明した送信信号Ｓｓと混合された受信信号Ｓｒｓの流れの中で、温度センサ（第一の温度検出部）２１は空中線３の温度を検出している。同様に温度センサ（第二の温度検出部）２２は、空中線３を除く装置内温度を検出している。異常検出部２３は、温度センサ（第一の温度検出部）２１と温度センサ（第二の温度検出部）２２の検出結果を監視し続ける。
【００４３】
両者の温度差が所定の温度差を越えたときに異常検出信号Ｓｅを出力するが、ここでは、前提条件より両者の温度差が所定の温度差を越えて異常検出信号Ｓｅを出力することになる。即ち空中線異常のため、電力増幅器１より出力された送信信号Ｓｓは、効率的に空中線３に供給されずに入力端子で反射されるため熱となって空中線３の温度を上昇させるためである。
【００４４】
〈具体例２の効果〉
以上説明したように、アンテナ端子（空中線３）と装置内温度を比較することによって比較的簡単な構成によって空中線異常を検出できるようになる。
【００４５】
〈具体例３の構成〉
具体例２と同様の原理に基づいて動作するが、より一層正確に空中線異常を検出するために具体例３は以下のように構成される。
図３は、具体例３の構成のブロック図である。
図３より、具体例３の空中線異常検出装置は、電力増幅器１と、サーキュレータ２と、空中線３と、低雑音増幅器４と、温度センサ（第一の温度検出部）２１と、温度センサ（第二の温度検出部）２２と、送信電力検出部３１と、データ格納部３２と、データ処理部３３とを備える。
【００４６】
具体例２との差異のみについて説明する。送信電力検出部３１は、空中線３へ入力される送信信号Ｓｓの電力量Ｐｓを検出する部分である。データ格納部３２は、空中線異常を検出するために予め定められている閾値を前記送信信号Ｓｓの電力量Ｐｓをパラメータとして書き込まれるメモリである。
【００４７】
データ処理部３３は、上記温度センサ（第一の温度検出部）２１と上記温度センサ（第二の温度検出部）２２から検出結果を受け入れてその温度差を検出し、上記送信電力検出部３１から検出結果を受け入れてその時の閾値を上記データ格納部３２から読み出して、上記温度差が上記閾値を越えているとき空中線異常として異常検出信号Ｓｅを出力する部分である。
【００４８】
〈具体例３の動作〉
図３を用いて具体例３の動作について説明する。
最初に空中線３に異常がない場合について説明し、その後空中線３に異常が発生した場合の動作について説明する。
【００４９】
１．空中線３に異常のない場合の動作の説明
図示していない他の装置から電力増幅器１に送信信号Ｓｓが送られてくる。送信信号Ｓｓは、電力増幅器１で所定の電圧レベルまで増幅されてサーキュレータ２の端子Ｔ１に向けて送出される。
【００５０】
サーキュレータ２は、送信信号Ｓｓを端子Ｔ１から受け入れて端子Ｔ２から空中線３に向けて送出する。この送信信号Ｓｓは、空中線３で送信電磁波に変換されて空中へ放射される。
このとき空中線３は、同時に空中から受信電磁波を受け入れる。この受信電磁波は、空中線３で電気信号変換されて受信信号Ｓｒとしてサーキュレータ２の端子Ｔ２に向けて送出される。
【００５１】
サーキュレータ２は、サーキュレータ２の端子Ｔ２から受信信号Ｓｒを受け入れて端子Ｔ３から低雑音増幅器４に向けて送出する。
低雑音増幅器４は、この受信信号Ｓｒを受け入れて図示していない他の装置に向けて出力する。
【００５２】
以上説明した送信信号Ｓｓと受信信号Ｓｒの流れの中で、送信電力検出部３１は空中線３へ送出する送信信号の電力量Ｐｓを検出してその結果をデータ処理部３３へ送出する。温度センサ（第一の温度検出部）２１は空中線３の温度を検出し、温度センサ（第二の温度検出部）２２は、空中線３を除く装置内温度を検出してその結果をデータ処理部３３へ送出する。
【００５３】
データ処理部３３は、温度センサ（第一の温度検出部）２１と温度センサ（第二の温度検出部）２２の検出結果から、両者の温度差を求める。同時に受け入れた送信信号の電力量Ｐｓに基づいて、その時の閾値をデータ格納部３２から読み出して上記温度差と比較する。この温度差がその時の閾値より大きい時は異常検出信号Ｓｅを出力するが、ここでは、前提条件より両者の温度差が閾値を越えることはないので異常検出信号Ｓｅを出力することはない。
【００５４】
２．空中線３に異常が発生している場合の動作の説明
図示していない他の装置から電力増幅器１に送信信号Ｓｓが送られてくる。送信信号Ｓｓは、電力増幅器１で所定の電圧レベルまで増幅されてサーキュレータ２の端子Ｔ１に向けて送出される。
【００５５】
サーキュレータ２は、送信信号Ｓｓを端子Ｔ１から受け入れて端子Ｔ２から空中線３に向けて送出する。ここでは空中線異常が発生していることを前提にしているので、この送信信号Ｓｓの一部は、空中線３で反射されて端子Ｔ２に戻ってくる。この戻ってきた送信信号Ｓｓの一部は、端子Ｔ３から低雑音増幅器４に向けて送出される。同時に送信信号Ｓｓの残りの部分は送信電磁波に変換されて空中へ放射される。
このとき空中線３は、同時に空中から受信電磁波を受け入れる。この受信電磁波は、空中線３で電気信号変換されて受信信号Ｓｒとしてサーキュレータ２の端子Ｔ２に向けて送出される。
【００５６】
サーキュレータ２は、サーキュレータ２の端子Ｔ２から受信信号Ｓｒを受け入れる。この受信信号Ｓｒと上記反射して戻ってきた送信信号Ｓｓの一部が混合された受信信号Ｓｒｓは端子Ｔ３から低雑音増幅器４に向けて送出される。
低雑音増幅器４は、この混合された受信信号Ｓｒｓを受け入れて図示していない他の装置に向けて出力する。
【００５７】
以上説明した送信信号Ｓｓと受信信号Ｓｒの流れの中で、送信電力検出部３１は空中線３へ送出する送信信号の電力量Ｐｓを検出してその結果をデータ処理部３３へ送出する。温度センサ（第一の温度検出部）２１は空中線３の温度を検出し、温度センサ（第二の温度検出部）２２は、空中線３を除く装置内温度を検出してその結果をデータ処理部３３へ送出する。
【００５８】
データ処理部３３は、温度センサ（第一の温度検出部）２１と温度センサ（第二の温度検出部）２２の検出結果から、両者の温度差を求める。同時に受け入れた送信信号の電力量Ｐｓに基づいて、その時の閾値をデータ格納部３２から読み出して上記温度差と比較する。この温度差がその時の閾値より大きい時は異常検出信号Ｓｅを出力するが、ここでは、前提条件より両者の温度差が閾値を越えるので異常検出信号Ｓｅが出力される。
【００５９】
〈具体例３の効果〉
以上説明したように、上記具体例２で説明したアンテナ端子（空中線３）と装置内温度を比較する構成にプラスして、予め定められている閾値を送信信号の電力量のパラメータとして書き込まれているためデータ格納部３２を備えることによって、より一層正確な空中線異常の検出が可能になる。
【図面の簡単な説明】
【図１】具体例１の構成のブロック図である。
【図２】具体例２の構成のブロック図である。
【図３】具体例３の構成のブロック図である。
【符号の説明】
１  電力増幅器
２  サーキュレータ
３  空中線
４  低雑音増幅器
５  分岐結合器（分岐結合部）
６  信号切替器（信号切替部）
７  検波器
８  Ａ／Ｄ変換器
９  データ処理部
１０  データ格納部
【図１】
0004250280.tif 000002
【図２】
0004250280.tif 000003
【図３】
0004250280.tif 000004